(57)【要約】【課題】長期間にわたって、且つ常温にてアレルゲンを不活性化させることができる艶出し剤を提供することにある。【解決手段】被膜形成成分と、アレルゲンを不活性化する酵素および尿素からなる不活化剤とを含有し、前記酵素に対する前記尿素の重量比を２倍〜６倍としたことにより、アレルゲンが艶出し剤の酵素および尿素に接触し、前記尿素による、アレルゲンを構成するたんぱく質の高次構造を常温にて崩す働きと、前記酵素による、前記高次構造が崩されたたんぱく質の一次結合を常温にて切断する働きとをバランス良く発現させて、アレルゲンを不活性化させることができる。【選択図】なし【特許請求の範囲】
【請求項１】
被膜形成成分と、アレルゲンを不活性化する酵素および尿素からなる不活化剤とを含有し、
前記酵素に対する前記尿素の重量比を２倍〜６倍とした
ことを特徴とする艶出し剤。
【請求項２】
請求項１に記載された艶出し剤であって、
前記不活化剤を前記被膜形成成分に対して０．２５ｗｔ％以上とする
ことを特徴とする艶出し剤。
【請求項３】
請求項１または請求項２に記載された艶出し剤であって、
さらに糖類または保湿剤を含有させる
ことを特徴とする艶出し剤。
【請求項４】
請求項３に記載された艶出し剤であって、
前記糖類は、アルギン酸ナトリウム、マンナン、トレハロース、またはラフィノースである
ことを特徴とする艶出し剤。
【請求項５】
請求項３に記載された艶出し剤であって、
前記保湿剤は、ポリアクリル酸系ポリマー、ポリアクリルアミド系ポリマー、ポリビニルアルコール系ポリマー、綿、羊毛、レーヨン、またはグリセロールである
ことを特徴とする艶出し剤。
【請求項６】
請求項１乃至請求項５の何れかに記載された艶出し剤の使用方法であって、
前記被膜形成成分および前記尿素からなる第一の成分と、前記酵素からなる第二の成分との二成分に分けて貯蔵され、使用時に前記二成分がそれぞれ計量されて、混合される
ことを特徴とする艶出し剤の使用方法。
【請求項７】
請求項１乃至請求項５の何れかに記載された艶出し剤が露出部の少なくとも一部に塗布されてなる
ことを特徴とする住宅用建材。
【請求項８】
請求項１乃至請求項５の何れかに記載された艶出し剤を建物の建材の表面の少なくとも一部に塗布させる
ことを特徴とするアレルゲン不活化方法。
【発明の詳細な説明】
【技術分野】
【０００１】
本発明は、艶出し剤、その使用方法および住宅用建材並びにアレルゲン不活化方法に関し、特にアレルゲンを不活性化させるために用いて好適な艶出し剤、その使用方法および住宅用建材並びにアレルゲン不活化方法に関する。
【背景技術】
【０００２】
喘息やアトピー性皮膚炎などのアレルギー疾患を引き起こす原因物質（アレルゲン）として、例えば、屋内に生息するダニやペットの毛、花粉など挙げられる。
【０００３】
従来、前記アレルゲンを掃除機などで除去してアレルゲンと人との接触確率を低減したり、前記アレルゲンがたんぱく質であるため、前記アレルゲンを熱や強酸／強アルカリ等で変性させて、前記アレルゲンを不活性化したりする手段が取られている。
【０００４】
前述したアレルゲンを不活性化する手段として、例えば、特許文献１には、ポリオキシエチレン鎖および／またはポリエチレン鎖を分子中に含む塩などを有した艶出し剤を用いてアレルゲンを不活性化する手段が開示され、特許文献２には、プロテアーゼと尿素の存在下でアレルゲンを不活性化するアレルゲン不活化方法が開示されている。
【０００５】
【特許文献１】特開２００４−１４３２６６号公報
【特許文献２】特開２００３−１８０８６５号公報
【発明の開示】
【発明が解決しようとする課題】
【０００６】
しかしながら、特許文献１に記載の艶出し剤では建物の床面に塗布することにより、アレルゲンを低減することができるものの、艶出し剤に含まれるアレルゲンを低減する物質と前記アレルゲンとが反応して低減するものであり、前記物質自体が使用頻度（反応時間）に応じて減少するので、所定の期間が経過すると、その都度建物の床面などに前記艶出し剤を塗布する必要があった。
【０００７】
特許文献２に記載のアレルゲン不活化方法では、アレルゲンを不活性化することができるものの、熱を加えないとアレルゲンの不活性化反応が進行せず、室温ではアレルゲンを不活性化することができなかった。
【０００８】
そこで、本発明は、前述した問題に鑑み提案されたもので、長期間にわたって、且つ常温にてアレルゲンを不活性化させることができる艶出し剤、その使用方法および住宅用建材並びにアレルゲン不活化方法を提供することを目的とする。
【課題を解決するための手段】
【０００９】
前述した課題を解決する第１の発明に係る艶出し剤は、被膜形成成分と、アレルゲンを不活性化する酵素および尿素からなる不活化剤とを含有し、前記酵素に対する前記尿素の重量比を２倍〜６倍としたことを特徴とする。
【００１０】
前述した課題を解決する第２の発明に係る艶出し剤は、第１の発明に記載された艶出し剤であって、前記不活化剤を前記被膜形成成分に対して０．２５ｗｔ％以上とすることを特徴とする。
【００１１】
前述した課題を解決する第３の発明に係る艶出し剤は、第１または第２の発明に記載された艶出し剤であって、さらに糖類または保湿剤を含有させることを特徴とする。
【００１２】
前述した課題を解決する第４の発明に係る艶出し剤は、第３の発明に記載された艶出し剤であって、前記糖類が、アルギン酸ナトリウム、マンナン、トレハロース、またはラフィノースであることを特徴とする。
【００１３】
前述した課題を解決する第５の発明に係る艶出し剤は、第３の発明に記載された艶出し剤であって、前記保湿剤が、ポリアクリル酸系ポリマー、ポリアクリルアミド系ポリマー、ポリビニルアルコール系ポリマー、綿、羊毛、レーヨン、またはグリセロールであることを特徴とする。
【００１４】
前述した課題を解決する第６の発明に係る艶出し剤の使用方法は、第１乃至第５の発明の何れかに記載された艶出し剤の使用方法であって、前記被膜形成成分および前記尿素からなる第一の成分と、前記酵素からなる第二の成分との二成分に分けて貯蔵され、使用時に前記二成分がそれぞれ計量されて、混合されることを特徴とする。
【００１５】
前述した課題を解決する第７の発明に係る住宅用建材は、第１乃至第５の発明の何れかに記載された艶出し剤が露出部の少なくとも一部に塗布されてなることを特徴とする。
【００１６】
前述した課題を解決する第８の発明に係るアレルゲン不活化方法は、第１乃至第５の発明の何れかに記載された艶出し剤を建物の建材の表面の少なくとも一部に塗布させることを特徴とする。
【発明の効果】
【００１７】
本発明に係る艶出し剤によれば、酵素と尿素とを所定の重量比としたことで、アレルゲンが艶出し剤の酵素および尿素に接触し、前記尿素による、アレルゲンを構成するたんぱく質の高次構造を常温にて崩す働きと、前記酵素による、前記高次構造が崩されたたんぱく質の一次結合を常温にて切断する働きとをバランス良く発現させて、アレルゲンを不活性化させることができる。また、このとき、前記尿素および前記酵素が消費されないので、アレルゲンを不活性化する作用を長期にわたって発現させることができる。また、不活化剤を被膜形成成分に対して０．２５ｗｔ％以上としたことにより、前記不活化剤と前記被膜形成成分とが混合されても、前記艶出し剤を建物の床面などに塗布し、前記艶出し剤とアレルゲンが接触した際に、アレルゲンを不活性化する作用を常温にて発現させることができる。さらに糖類または保湿剤を含有させることにより、前記糖類または前記保湿剤に大気中の湿気（水分）が吸収されて保持され、前記水分を艶出し剤の酵素による加水分解反応の際に利用することができるので、湿度が極端に低い環境下においても、アレルゲンの不活化反応を確実に発現させることができる。
【００１８】
前記糖類がアルギン酸ナトリウム、マンナン、トレハロース、またはラフィノースであることにより、これら自体が容易に入手可能であり、製造コストの増加を抑制することができる。前記保湿剤が、ポリアクリル酸系ポリマー、ポリアクリルアミド系ポリマー、ポリビニルアルコール系ポリマー、綿、羊毛、レーヨン、またはグリセロールであることにより、これら自体が容易に入手可能であり、製造コストの増加を抑制することができる。
【００１９】
本発明に係る艶出し剤の使用方法によれば、前記被膜形成成分および前記尿素からなる第一の成分と、前記酵素からなる第二の成分との二成分に分けて貯蔵され、使用時に前記二成分がそれぞれ計量されて、混合されることによって、貯蔵時に、尿素の働きで酵素の構造が崩されて、前記酵素による、高次構造が崩されたアレルゲンの一次結合を切断する働きを弱めてしまう可能性が無くなる。その結果、前記二成分が混合されてなる艶出し剤を建物の床面などに塗布して使用し、前記艶出し剤とアレルゲンとが接触した際に、艶出し剤の尿素によりアレルゲンの高次構造が常温にて崩され、酵素により高次構造が崩されたアレルゲンの一次結合が常温で切断されて、前記アレルゲンを不活性化させることができる。よって、艶出し剤によるアレルゲンを不活性化する作用を長期にわたって維持することができる。
【００２０】
本発明に係る住宅用建材によれば、艶出し剤を露出部の少なくとも一部に塗布されてなることにより、この艶出し剤の尿素による、アレルゲンを構成するたんぱく質の高次構造を常温にて崩す働きと、酵素による、構造が崩されたたんぱく質の一次結合を常温にて切断する働きとをバランス良く発現させて、アレルゲンを不活性化させることができる。
【００２１】
本発明に係るアレルゲン不活化方法によれば、艶出し剤を建物の建材の表面の少なくとも一部に塗布させることにより、この艶出し剤の尿素による、アレルゲンを構成するたんぱく質の高次構造を常温にて崩す働きと、酵素による、構造が崩されたたんぱく質の一次結合を常温にて切断する働きとをバランス良く発現させて、アレルゲンを不活性化させることができる。さらに、作業自体が簡易であるので、作業コストの増加を抑制することができる。
【発明を実施するための最良の形態】
【００２２】
以下に、本発明に係る艶出し剤を実施するための最良の形態を実施例に基づき具体的に説明する。
【実施例１】
【００２３】
以下に、本発明の第１の実施例に係る艶出し剤について説明する。
【００２４】
本発明の第１の実施例に係る艶出し剤は、被膜形成成分と、アレルゲンを不活性化する酵素および尿素からなる不活化剤とを含有し、前記酵素と前記尿素との重量比が１：２〜１：６の範囲である。すなわち、前記酵素に対する前記尿素の重量比が２倍〜６倍である。
【００２５】
前記酵素として、例えばペプチド結合を加水分解するプロテアーゼを用いることができる。プロテアーゼは、プロテイナーゼとぺプチダーゼとに大別される。プロテイナーゼはタンパク質分子のペプチド結合を加水分解する酵素であり、高分子たんぱく質に作用すると急速な低分子化が起こり、たんぱく質をペプトン化するものである。ぺプチダーゼはペプチド鎖のアミノ末端あるいはカルボキシ末端のペプチド結合を加水分解する酵素であり、ペプチド鎖の末端から順次アミノ酸を遊離させるものである。なお、前記酵素は、空気中の湿気により活性になっている。
【００２６】
前記被膜形成成分としては、塗布された後に硬化または乾燥して被膜を形成するものであれば良く、例えばワックスなどが挙げられる。前記ワックスは、ワックス基材と溶剤とを有する。前記ワックス基材としては、ステアリン酸グリコール（天然ろう）、ポリエチレン樹脂、ポリ酢酸ビニル、ポリ塩化ビニル、ポリスチレン樹脂、アクリル樹脂、ウレタン樹脂などが挙げられる。前記溶剤としては、ソルベントナフサ、テルペン油などが挙げられる。
【００２７】
ここで、前記酵素に対する前記尿素の重量比と常温にてアレルゲンを不活性化するアレルゲン不活化率との関係を下記表１に示す。
【００２８】
【表１】
2007197601.tif 000002
【００２９】
上記表１に示すように、前記酵素に対する前記尿素の重量比を２倍、３倍、６倍としたときのアレルゲン不活化率は、それぞれ２０％、６０％、３０％となった。
また、前述した重量比の範囲より尿素を少なくすると、前記尿素による、アレルゲンを構成するたんぱく質の高次構造を崩す作用が抑制されて、アレルゲンを不活性化する働きが抑制される。また、前記範囲より尿素を多くすると、前記酵素自体が少ないため、前記酵素による、高次構造が崩されたたんぱく質の一次結合を切断する作用が抑制される一方、前記尿素により前記酵素の高次構造が崩され、前記酵素が少なくなって、アレルゲンを不活性化する働きが抑制される。すなわち、前記酵素と前記尿素とを前述した重量比の範囲とすることによって、アレルゲンが艶出し剤の酵素および尿素に接触し、前記尿素による、アレルゲンを構成するたんぱく質の高次構造を常温にて崩す働きと、前記酵素による、前記高次構造が崩されたたんぱく質の一次結合を常温にて切断する働きとをバランス良く発現させて、アレルゲンが不活性化される。また、このとき、前記尿素および前記酵素が消費されないので、アレルゲンを不活性化する作用を長期にわたって発現させることができる。
【００３０】
前記不活化剤を前記被膜形成成分に対して０．２５ｗｔ％以上とし、好ましくは０．６ｗｔ％以上とする。
前述した重量の不活化剤を艶出し剤に含有させることで、前記不活化剤と前記被膜形成成分とが混合されても、前記艶出し剤を建物の床面などに塗布し、前記艶出し剤とアレルゲンが接触した際に、前記アレルゲンを不活性化する作用を常温にて発現させることができる。
【００３１】
前記艶出し剤は、住宅用建材の床や壁など露出部（表面）の少なくとも一部に塗布され、好適には、アレルゲンが付着・堆積しやすい建物内の床面に塗布される。
【００３２】
したがって、本発明の第１の実施例に係る艶出し剤によれば、アレルゲンが艶出し剤の酵素および尿素に接触し、前記尿素による、アレルゲンを構成するたんぱく質の高次構造を常温にて崩す働きと、前記酵素による、前記高次構造が崩されたたんぱく質の一次結合を常温にて切断する働きとをバランス良く発現させて、アレルゲンを不活性化させることができる。また、前記艶出し剤を建物内の床面などに塗布させるだけなので、作業自体が簡易であり、作業コストの増加を抑制することができる。
【実施例２】
【００３３】
以下に、本発明の第２の実施例に係る艶出し剤について、説明する。第２の実施例に係る艶出し剤は、上述した第１の実施例に係る艶出し剤にさらに糖類または保湿剤を含有させたものであり、それ以外は、上述した第１の実施例に係る艶出し剤と同様な組成を有する。上述した第１の実施例に係る艶出し剤と同様な組成についてはその説明を省略する。
【００３４】
本発明の第２の実施例に係る艶出し剤は、前記被膜形成成分と、アレルゲンを不活性化する酵素および尿素からなる不活化剤と、糖類または保湿剤とを含有する。
【００３５】
前記糖類または保湿剤は大気中の湿気（水分）を保湿する作用を有する。
【００３６】
前記糖類としては、アルギン酸ナトリウム、マンナン、トレハロース、ラフィノースが挙げられる。このような糖類とすることで、これら自体が容易に入手可能であり、製造コストの増加を抑制することができる。
【００３７】
前記保湿剤としては、ポリアクリル酸系ポリマー、ポリアクリルアミド系ポリマー、ポリビニルアルコール系ポリマー、綿、羊毛、レーヨン、グリセロール（グリセリン）が挙げられる。このような保湿剤とすることで、これら自体が容易に入手可能であるので、製造コストの増加を抑制することができる。
【００３８】
前記艶出し剤は、前述した第１の実施例に係る艶出し剤と同様に、住宅用建材の床や壁など露出部（表面）の少なくとも一部に塗布され、好適には、アレルゲンが付着・堆積しやすい建物内の床面に塗布される。
【００３９】
したがって、本発明の第２の実施例に係る艶出し剤によれば、上述した第１の実施例に係る艶出し剤と同様な作用効果を奏する他、糖類または保湿剤を含有させたことにより、前記糖類または前記保湿剤に大気中の湿気（水分）が吸収されて保持され、前記水分を艶出し剤の酵素による加水分解反応の際に利用することができるので、湿度が極端に低い環境下においても、アレルゲンの不活化反応を確実に発現させることができる。
【実施例３】
【００４０】
以下に、本発明の第３の実施例に係る艶出し剤の使用方法について説明する。
【００４１】
本発明の第３の実施例に係る艶出し剤の使用方法は、上述した第１および第２の発明に係る艶出し剤を使用するときの使用方法である。
【００４２】
本発明の第３の実施例に係る艶出し剤の使用方法では、前記被膜形成成分および前記尿素からなる第一の成分と、前記酵素からなる第二の成分との二成分に分けて貯蔵され、使用時に前記二成分がそれぞれ計量されて、混合される。
【００４３】
前記二成分が混合されてなる艶出し剤は、前述した第１，第２の実施例に係る艶出し剤と同様に、住宅用建材の床や壁など露出部（表面）の少なくとも一部に塗布され、好適には、アレルゲンが付着・堆積しやすい建物内の床面に塗布される。
【００４４】
したがって、本発明の第３の実施例に係る艶出し剤の使用方法によれば、前記被膜形成成分および前記尿素からなる第一の成分と、前記酵素からなる第二の成分との二成分に分けて貯蔵され、使用時に前記二成分がそれぞれ計量されて、混合されることによって、貯蔵時に、前記尿素の働きで酵素の高次構造が崩されて、前記酵素による、高次構造が崩されたアレルゲンの一次結合を切断する働きを弱めてしまう可能性が無くなる。その結果、前記二成分が混合されてなる艶出し剤を建物の床面などに塗布して使用し、前記艶出し剤とアレルゲンとが接触した際に、艶出し剤の尿素によりアレルゲンの高次構造が常温にて崩され、酵素により高次構造が崩されたアレルゲンの一次結合が常温で切断されて、前記アレルゲンを不活性化させることができる。よって、艶出し剤によるアレルゲンを不活性化する作用を長期にわたって維持することができる。
【産業上の利用可能性】
【００４５】
本発明は、艶出し剤、その使用方法および住宅用建材並びにアレルゲン不活化方法に利用することが可能であり、特にアレルゲンを不活性化させるために用いて好適な艶出し剤、その使用方法および住宅用建材並びにアレルゲン不活化方法に利用することが可能である。